(57)【特許請求の範囲】
【請求項１】
換気扇に電源を供給する電源電線の接続される入力端子部および、前記換気扇に設けられた電源入力端子台に接続される出力端子部を設けた端子部材と、この端子部材の入力端子部と出力端子部間に介在される前記端子部材に着脱自在に設けた電源制御部とを備え、前記換気扇を前記電源制御部により自動運転できる構成とした換気扇用中継端子台であって、前記電源制御部を前記端子部材より離脱したときに前記入力端子部と前記出力端子部が短絡する構成とした換気扇用中継端子台。
【請求項２】
電源制御部を端子部材より離脱した部分に入力端子部と出力端子部を短絡する短絡部材を設けた請求項１記載の換気扇用中継端子台。
【請求項３】
換気扇に設けられた電源入力端子台の電源入力端子部の間隔と端子部材の出力端子部の間隔を同一間隔とした請求項１記載の換気扇用中継端子台。
【請求項４】
換気扇に設けられる電源入力端子台の電源入力端子部の間隔と端子部材の入力端子部の間隔を同一間隔とした請求項１記載の換気扇用中継端子台。
【請求項５】
端子部材の入力端子部を出力端子部の対面に設けた請求項１記載の換気扇用中継端子台。
【請求項６】
端子部材の入力端子部に接続される電源電線を挿脱自在とした請求項１記載の換気扇用中継端子台。
【請求項７】
端子部材に過負荷保護装置を設けた請求項１記載の換気扇用中継端子台。
【請求項８】
端子部材に複数の出力端子部を設けた請求項１記載の換気扇用中継端子台。
【発明の詳細な説明】
【０００１】
【発明の属する技術分野】
本発明は、標準形の換気扇を自動運転形換気扇に変更できる換気扇用中継端子台に関する。
【０００２】
【従来の技術】
近年、室内の環境良化を図るための換気扇の普及にともない、自動運転機能のない標準形の換気扇を、室内の汚染度等を検知して自動的に運転できる自動運転形の換気扇に簡単に変更できる制御部材に対する要求が高まってきている。
【０００３】
従来、この種の制御部材の一例として標準形の換気扇を自動的に運転できる換気扇自動スイッチを設けることが知られている。以下、その構成について、図１４を参照しながら説明する。
【０００４】
図に示すように、天井面１０１に取り付けられた標準形の換気扇１０２の電源入力端子台１０３に、壁部１０４に孔１０５を設け取り付けられ、汚染度等をセンサーにより検知して自動運転させる換気扇自動スイッチ１０６の配線１０７を接続し、換気扇自動スイッチ１０６に電源電線１０８を接続して標準形の換気扇を自動運転形換気扇に変更していた。
【０００５】
また、既設の換気扇を自動運転とするために、今まで設置されていた標準形の換気扇全体を取り外し、新しく購入した自動運転形の換気扇に取り替えることも行われていた。
【０００６】
【発明が解決しようとする課題】
このような従来の標準形の換気扇を自動運転形の換気扇に変更する方法では、前者においては、換気扇自動スイッチ１０６を別個に購入し、壁部１０４に換気扇自動スイッチ１０６を取り付けるための孔１０５を設けたり、再度配線工事を行わなければならないので、施工に手間が掛かり工事費が高くなるという課題があった。
【０００７】
また、後者においては、今まで設置されていた標準形の換気扇を取り外し、新しく購入した自動運転形換気扇に取り替えることとなるため、既設の標準形の換気扇が無駄となり資源の浪費となるとともにコスト負担が大きくなるという課題があった。
【０００８】
本発明は、上記課題を解決するもので、標準形の換気扇を省施工で安価に自動運転形換気扇に変更できる換気扇用中継端子台を提供することを目的とする。
【０００９】
【課題を解決するための手段】
本発明の換気扇用中継端子台においては、換気扇に電源を供給する電源電線の接続される入力端子部および、前記換気扇に設けられた電源入力端子台に接続される出力端子部を設けた端子部材と、この端子部材の入力端子部と出力端子部間に介在される電源制御部とを備え、前記換気扇を前記電源制御部により自動運転できる構成としたものである。
【００１０】
この本発明によれば、標準形の換気扇を省施工で安価に自動運転形換気扇に変更できる換気扇用中継端子台を提供することができる。
【００１１】
【発明の実施の形態】
本発明の請求項１に記載の発明は、換気扇に電源を供給する電源電線の接続される入力端子部および前記換気扇に設けられた電源入力端子台に接続される出力端子部を設けた端子部材と、この端子部材の入力端子部と出力端子部間に介在される前記端子部材に着脱自在に設けた電源制御部とを備え、前記換気扇を前記電源制御部により自動運転できる構成とした換気扇用中継端子台であって、前記電源制御部を前記端子部材より離脱したときに前記入力端子部と前記出力端子部が短絡する構成としたものであり、電源制御部に設けた室内の汚染度を検知するセンサー等により汚染度が検知されると、電源制御部において換気扇を自動運転できるように制御され、自動運転形換気扇が省施工で安価に得られるとともに、標準形の換気扇と自動運転形換気扇の変更を容易に行うことができる
という作用を有する。
【００１２】
以下、本発明の実施の形態について図１〜図１３を参照しながら説明する。
【００１３】
（実施の形態１）
図１に示すように、天井面１に取り付けられる換気扇２に設けられたファンモーター３の吸込側を室内４側に向け、吐出側には室外（図示せず）と連通するダクト５を設け、換気扇２のファンモーター３に接続される電源入力端子台６を設け、換気扇２を形成する。
【００１４】
そして、換気扇２に電源を供給する電源電線７の接続される入力端子部８および、換気扇２に設けた電源入力端子部６に接続される出力端子部９を設けた端子部材１０を設け、端子部材１０の入力端子部８と出力端子部９間に介在されるように換気扇２に、室内４の汚染度を検知するセンサー（図示せず）等を有し、汚染していることが検知されると換気扇２を自動的に運転できるように設けた電源制御部１１を取り付け、換気扇用中継端子台を構成する。
【００１５】
上記構成において、今まで設置されていた換気扇が標準形の換気扇のときには、電源入力端子台６に接続されていた電源電線７を取り外したのち、電源入力端子台６に中継端子台を形成する端子部材１０の出力端子部９を接続し、電源制御部１１を換気扇２に取り付け、先に電源入力端子台６から取り外されていた電源電線７を端子部材１０の入力端子部８に接続して標準形の換気扇を自動運転形換気扇に変更することができる。
【００１６】
そして、室内４で汚染空気が発生すると電源制御部１１に設けた汚染度を検知するセンサーが汚染空気を検知し、検知信号に基づいて電源制御部１１が作動し、電源制御部１１により換気扇２が自動的に運転され、室内４の汚染空気が換気されることとなる。
【００１７】
このように本発明の実施の形態１の換気扇用中継端子台によれば、換気扇２に電源を供給する電源電線７の接続される入力端子部８および、換気扇２に設けられた電源入力端子台６に接続される出力端子部９を設けた端子部材１０と、端子部材１０の入力端子部８と出力端子部９間に介在される電源制御部１１とを設け、換気扇用中継端子台を形成したので、標準形の換気扇を省施工で安価な自動運転形換気扇に変更することができる。
【００１８】
（実施の形態２）
図２および図３に示すように、端子部材１０Ａに、端子部材１０Ａの入力端子部８に接続される制御部側出力部１２と出力端子部９に接続される換気扇側入力部１３を設け、端子部材側接続端子１４を形成し、電源制御部１１Ａの導線１５の端部に端子部材１０Ａの制御部側出力部１２に着脱自在に接続される制御部側入力部１６および、換気扇側入力部１３に着脱自在に接続される換気扇側出力部１７を設けた電源制御部側接続端子１８を形成し、端子部材側接続端子１４と電源制御部側接続端子１８を着脱自在に設ける。
【００１９】
そして、電源制御部１１Ａは室内４側に一部が露出するように換気扇２Ａの一部分を形成し、換気扇２Ａに着脱自在に設けられる化粧枠２ａに設けた構成とする。
【００２０】
上記構成において、換気扇２Ａは室内４に汚染空気が発生し、室内４に露出するように設けた電源制御部１１Ａに組み込まれているセンサー（図示せず）で検知されると電源が電源電線７を通り、端子部材１０Ａの入力端子部８に入力された電源は端子部材側接続端子１４に設けられている制御部側出力部１２から電源制御部側接続端子１８の制御部側入力部１６に入力され、電源制御部１１Ａにより制御され電源制御部側接続端子１８の換気扇側出力部１７より端子部材側接続端子１４の換気扇側入力部１３に入力されたのち、出力端子部９から換気扇２Ａの電源入力端子台６に入力され、換気扇２Ａが自動運転され汚染空気が室外に排出されることとなる。
【００２１】
また、メンテナンスを行うときには、端子部材１０Ａの端子部材側接続端子１４により電源制御部側接続端子１８を離脱し、化粧枠２ａを取り外すことにより換気扇２Ａの内部のメンテナンスを行うことができる。このとき、電源は端子部材１０Ａにおいてしゃ断され、換気扇２Ａには通電されない状態となる。
【００２２】
このように本発明の実施の形態２の換気扇用中継端子台によれば、電源制御部１１Ａを端子部材１０Ａに着脱自在に設けたので、メンテナンス時に電源制御部１１Ａとともに化粧枠２ａを取り外すことができ、換気扇２Ａに対する通電が自動的にしゃ断され安全な状態でメンテナンスを行うことができる。
【００２３】
また、電源制御部１１Ａを室内４側に露出するように設けたので、室内４の状態を検知するセンサーや運転状態ランプ等を室内４に面して設けることができ、検知範囲の確保と運転状態の確認を行うことができる。
【００２４】
（実施の形態３）
図４および図５に示すように、端子部材１０Ｂに設けた入力端子部８Ａと出力端子部９Ａ間に、入力端子部８Ａと出力端子部９Ａを短絡する短絡スイッチ１９を設け、電源制御部側接続端子１８Ａに、電源制御部側接続端子１８Ａが端子部材側接続端子１４に接続結合したときに、短絡スイッチ１９の短絡を解除する作動子２０を設け、電源制御部１１Ｂを端子部材１０Ｂより離脱したときに端子部材１０Ｂの入力端子部８Ａと出力端子部９Ａが短絡するように構成する。
【００２５】
上記構成において、自動運転時は、端子部材１０Ｂの端子部材側接続端子１４に電源制御部側接続端子１８Ａが接続され、電源制御部側接続端子１８Ａに設けた作動子２０により端子部材１０Ｂに設けた短絡スイッチ１９の短絡が解除され、電源は端子部材１０Ｂの端子部材側接続端子１４より電源制御部側接続端子１８Ａに入力され、電源制御部１１Ｂが接続され、電源制御部１１Ｂに組み込まれているセンサーにより室内４に発生した汚染空気が検知されると、換気扇２Ａへの通電が換気扇２Ａに設けた電源入力端子台６を介して行われ換気扇２Ａは自動的に運転されることとなる。
【００２６】
そして、センサー等による自動運転ではなく標準運転状態に変更するときには、端子部材１０Ｂの端子部材側接続端子１４から電源制御部側接続端子１８Ａを離脱することにより、電源制御部側接続端子１８Ａに設けた作動子２０も短絡スイッチ１９より離脱し、短絡スイッチ１９により端子部材１０Ｂの入力端子部８Ａと出力端子部９Ａが短絡スイッチ１９を介して導通することとなり、電源が電源制御部１１Ｂを介さず換気扇２Ａの電源入力端子台６に接続されることとなる。
【００２７】
このように本発明の実施の形態３の換気扇用中継端子台によれば、電源制御部１１Ｂを端子部材１０Ｂより離脱したときに入力端子部８Ａと出力端子部９Ａが短絡する構成としたので、標準形の換気扇と自動運転形換気扇の変更を容易に行うことができる。
【００２８】
（実施の形態４）
図６および図７に示すように、端子部材１０Ｃに設けられる端子部材側接続端子１４Ａに設けられた入力端子部８Ｂに接続された制御部側出力部１２Ａと出力端子部９Ｂに接続された換気扇側入力部１３Ａを短絡するように着脱自在に短絡部材２１を設け、電源制御部１１Ｃを端子部材１０Ｃより離脱した部分に入力端子部８Ｂと出力端子部９Ｂを短絡する短絡部材２１を設ける構成とする。
【００２９】
上記構成において、自動運転時は、端子部材１０Ｃの端子部材側接続端子１４Ａに電源制御部側接続端子１８Ａが接続されて電源制御部１１Ｃが端子部材１０Ｃに接続され、自動運転形換気扇として運転されることとなる。
【００３０】
そして、センサー等により検知し電源制御部１１Ｃを介して運転する自動運転ではなく、標準運転状態に変更するときには、端子部材１０Ｂより電源制御部１１Ｃを離脱した部分の端子部側接続端子１４Ａの制御部側出力部１２Ａと換気扇側入力部１３Ａに短絡部材２１を接続し、入力端子部８Ｂと出力端子部９Ｂが短絡され、電源が電源制御部１１Ｃを介さず換気扇２Ａの電源入力端子台６に接続されることとなる。
【００３１】
また、メンテナンス時においては、短絡部材２１を取り外すことにより換気扇２Ａの内部のメンテナンスを行うときに、換気扇２Ａには通電されない状態となる。
【００３２】
このように本発明の実施の形態４の換気扇用中継端子台によれば、電源制御部１１Ｃを端子部材１０Ｃより離脱した部分に入力端子部８Ｂと出力端子部９Ｂを短絡する短絡部材２１を設けたので、標準形の換気扇と自動運転形換気扇の変更を容易に行うことができるとともに、メンテナンス時に短絡部材２１を取り外すことにより安全な状態でメンテナンスを行うことができる。
【００３３】
（実施の形態５）
図８に示すように、換気扇（図示せず）に設けられた電源入力端子台６Ａの電源入力端子部２２の間隔Ａと端子部材１０Ｄの出力端子部９Ｃの間隔Ｂを同一間隔に設けた構成とする。
【００３４】
上記構成において、標準形の換気扇に設けられた電源入力端子台６Ａに自動運転形換気扇に変更するために、電源制御部（図示せず）を接続する端子部材１０Ｄを接続するとき、電源入力端子台６Ａの電源入力端子部２２に端子部材１０Ｄの出力端子部９Ｃがスムーズに接続されることとなる。
【００３５】
このように本発明の実施の形態５の換気扇用中継端子台によれば、換気扇に設けられた電源入力端子台６Ａの電源入力端子部２２の間隔Ａと端子部材１０Ｄの出力端子部９Ｃの間隔Ｂを同一間隔としたので、換気扇の電源入力端子台６Ａに端子部材１０Ｄを容易に接合することができ、標準形の換気扇を自動運転形換気扇に変更するときの施工性が良くなる。
【００３６】
（実施の形態６）
図９に示すように、換気扇（図示せず）に設けられた電源入力端子台６Ａの電源入力端子部２２の間隔Ａと端子部材１０Ｅの入力端子部８Ｃの間隔Ｃを同一間隔とし、端子部材１０Ｅの入力端子部８Ｃを出力端子部９Ｃの対面に設けた構成とする。
【００３７】
上記構成において、標準形の換気扇を自動運転形換気扇に変更するとき換気扇に設けられた電源入力端子台６Ａの電源入力端子部２２に接続されていた電源電線７を取り外したのち、電源制御部（図示せず）を接続する端子部材１０Ｅを取り付けるとき、電源入力端子部２２の間隔Ａと端子部材１０Ｅの入力端子部８Ｃの間隔Ｃが同一間隔に形成されていることにより、電源電線７は左右の電線の間隔等を変えることなくそのままの状態で端子部材１０Ｅの入力端子部８Ｃに接続することができる。
【００３８】
また、端子部材１０Ｅの入力端子部８Ｃが出力端子部９Ｃの対面に設けられていることにより、標準形の換気扇時に接続されていた電源電線７の方向を変更することなく、自動運転形換気扇にするための電源電線７の接続を行うことができる。
【００３９】
このように本発明の実施の形態６の換気扇用中継端子台によれば、換気扇に設けられる電源入力端子台６Ａの電源入力端子部２２の間隔Ａと端子部材１０Ｅの入力端子部８Ｃの間隔Ｃを同一間隔としたので、標準形の換気扇を自動運転形換気扇に変更するときのように、端子部材１０Ｅを追加したり、また、取り外したりしたときに、再度電源電線７の接続部分の加工をすることなく容易に差し替え接続することができる。
【００４０】
また、端子部材１０Ｅの入力端子部８Ｃを出力端子部９Ｃの対面に設けたので、電源電線７の接続方向を変更することなく、同一方向のみにおいて接続が可能となり作業性の向上を図ることができる。
【００４１】
（実施の形態７）
図１０に示すように、端子部材１０Ｆの入力端子部８Ｄに接続される電源電線７Ａが挿脱自在に設けられるように端子部材１０Ｆに電源電線７Ａの接続を解除する解除手段２３を設けた構成とする。
【００４２】
上記構成において、端子部材１０Ｆの入力端子部８Ｄに接続した電源電線７Ａを一旦取り外し、再度接続する必要が生じたときにおいても電源電線７Ａの挿脱を簡単に行うことができる。
【００４３】
このように本発明の実施の形態７の換気扇用中継端子台によれば、端子部材１０Ｆの入力端子部８Ｄに接続される電源電線７Ａを解除手段２３を介して挿脱自在に設けたので、電源電線７Ａの接続のやり直しが可能となり施工性の向上を図ることができる。
【００４４】
（実施の形態８）
図１１および図１２に示すように、端子部材１０Ｇに過負荷保護装置２４の収納部２５を設け、過負荷保護装置２４を端子部材１０Ｇに内蔵した構成とする。
【００４５】
上記構成において端子部材１０Ｇに設けた過負荷保護装置２４により換気扇運転時に過負荷が保護されることとなる。
【００４６】
このように本発明の実施の形態８の換気扇用中継端子台によれば、端子部材１０Ｇに過負荷保護装置２４を設けたので、端子部材１０Ｇを取り付けることにより過負荷保護装置２４も同時に取り付けることができ、安全の向上はもとより、過負荷保護装置２４を別個に設ける必要もなく、端子部材１０Ｇの一つの部材とすることにより安価にすることが可能となる。
【００４７】
（実施の形態９）
図１３に示すように、端子部材１０Ｈに出力端子部９Ｃ以外に複数の出力端子部９Ｄを設けた構成とする。
【００４８】
上記構成において、端子部材１０Ｈの出力端子部９Ｃを換気扇に設けた電源入力端子台（図示せず）に接続し、標準形の換気扇を自動運転形換気扇に変更することができるとともに、他の換気扇等の機器に対し出力端子部９Ｄを接続することにより他の換気扇等の機器も連動運転することができる。
【００４９】
このように本発明の実施の形態９の換気扇用中継端子台によれば、端子部材１０Ｈに複数の出力端子部９Ｄを設けたので、複数台の換気扇の運転や、または別の機器との連動運転が可能となる。
【００５３】
【発明の効果】
以上の実施の形態から明らかなように、本発明によれば、換気扇に電源を供給する電源電線の接続される入力端子部および前記換気扇に設けられた電源入力端子台に接続される出力端子部を設けた端子部材と、この端子部材の入力端子部と出力端子部間に介在される前記端子部材に着脱自在に設けた電源制御部とを備え、前記換気扇を前記電源制御部により自動運転できる構成とした換気扇用中継端子台であって、前記電源制御部を前記端子部材より離脱したときに前記入力端子部と前記出力端子部が短絡する構成としたので、標準形の換気扇と自動運転形換気扇の変更を容易に行うことができる。
【００５４】
また、電源制御部を端子部材より離脱した部分に入力端子部と出力端子部を短絡する短絡部材を設けたので、標準形の換気扇と自動運転形換気扇の変更を容易に行うことができる。
【００５５】
また、換気扇に設けられた電源入力端子台の電源入力端子部の間隔と端子部材の出力端子部の間隔を同一間隔としたので、換気扇の電源入力端子台に端子部材を容易に接合することができ自動運転形換気扇に変更時の施工性が良くなる。
【００５６】
また、換気扇に設けられる電源入力端子台の電源入力端子部の間隔と端子部材の入力端子部の間隔を同一間隔としたので、端子部材を追加したり、また、取り外したりしたときに、再度電源電線の接続部分の加工をすることなく容易に差し替え接続することができる。
【００５７】
また、端子部材の入力端子部を出力端子部の対面に設けたので、同一方向のみにおいて接続が可能となり作業性の向上を図ることができる。
【００５８】
また、端子部材の入力端子部に接続される電源電線を挿脱自在としたので、電源電線の接続のやり直しが可能となり施工性の向上を図ることができる。
【００５９】
また、端子部材の過負荷保護装置を設けたので、安全の向上はもとより一つの部材に設けられることにより安価にできる。
【００６０】
また、端子部材に複数の出力端子部を設けたので、複数の換気扇の運転や、または別の機器との連動運転が可能となる。
【図面の簡単な説明】
【図１】本発明の実施の形態１の換気扇用中継端子台を換気扇に装着した状態を示す断面図
【図２】本発明の実施の形態２の換気扇用中継端子台の接続端子部分の拡大図
【図３】同換気扇用中継端子台を換気扇に装着した状態を示す断面図
【図４】本発明の実施の形態３の換気扇用中継端子台を用いた自動運転時の断面図
【図５】同換気扇用中継端子台における短絡状態を示す断面図
【図６】本発明の実施の形態４の換気扇用中継端子台の短絡構成を示す断面図
【図７】同換気扇用中継端子台より離脱した電源制御部の側面図
【図８】本発明の実施の形態５の換気扇用中継端子台の出力端子部の構成を示す斜視図
【図９】本発明の実施の形態６の換気扇用中継端子台の入力端子部の構成を示す斜視図
【図１０】本発明の実施の形態７の換気扇用中継端子台の構成を示す斜視図
【図１１】本発明の実施の形態８の換気扇用中継端子台の構成を示す斜視図
【図１２】同換気扇用中継端子台の分解斜視図
【図１３】本発明の実施の形態９の換気扇用中継端子台の斜視図
【図１４】従来の換気扇自動スイッチを用いた換気扇の構成を示す断面図
【符号の説明】
２      換気扇
２Ａ    換気扇
４      室内
６      電源入力端子台
６Ａ    電源入力端子台
７      電源電線
７Ａ    電源電線
８      入力端子部
８Ａ    入力端子部
８Ｂ    入力端子部
８Ｃ    入力端子部
８Ｄ    入力端子部
９      出力端子部
９Ａ    出力端子部
９Ｂ    出力端子部
９Ｃ    出力端子部
９Ｄ    出力端子部
１０    端子部材
１０Ａ  端子部材
１０Ｂ  端子部材
１０Ｃ  端子部材
１０Ｄ  端子部材
１０Ｅ  端子部材
１０Ｆ  端子部材
１０Ｇ  端子部材
１０Ｈ  端子部材
１１    電源制御部
１１Ａ  電源制御部
１１Ｂ  電源制御部
１１Ｃ  電源制御部
１４    端子部材側接続端子
１８    電源制御部側接続端子
１９    短絡スイッチ
２０    作動子
２１    短絡部材
２２    電源入力端子部
２３    解散手段
２４    過負荷保護装置
【図１】
0003769166.tif 000002
【図２】
0003769166.tif 000003
【図３】
0003769166.tif 000004
【図４】
0003769166.tif 000005
【図５】
0003769166.tif 000006
【図６】
0003769166.tif 000007
【図７】
0003769166.tif 000008
【図８】
0003769166.tif 000009
【図９】
0003769166.tif 000010
【図１０】
0003769166.tif 000011
【図１１】
0003769166.tif 000012
【図１２】
0003769166.tif 000013
【図１３】
0003769166.tif 000014
【図１４】
0003769166.tif 000015